(57)【要約】【課題】部品点数の削減、組立工数の削減によりコストダウンを図ることができる電子機器の外装ケースを提供する。【解決手段】硬質樹脂Ａと軟質樹脂Ｂとの２色成形によって展開形状に一体形成された電子機器の外装ケース１である。この展開形状の外装ケース１の折り曲げ部（薄肉部）６、１４を軟質樹脂Ｂのみによって形成し、外装ケース１が展開された状態で電子機器の内容物が組み込まれた後に、薄肉部６、１４にて展開形状の外装ケース１を折り曲げることによりケース状に形成される。【選択図】　　　　図１
2004001821.tif 000002
【特許請求の範囲】
【請求項１】
硬質樹脂と軟質樹脂との２色成形によって展開形状に一体形成された電子機器の外装ケースであって、
前記展開形状の外装ケースの折り曲げ部を前記軟質樹脂のみによって形成し、前記外装ケースが展開された状態で電子機器の内容物が組み込まれた後に、前記折り曲げ部にて展開形状の外装ケースを折り曲げることによりケース状に形成されることを特徴とする電子機器の外装ケース。
【請求項２】
前記軟質樹脂は、前記外装ケースの滑り止め及び／又はデザインのために前記硬質樹脂の一部を覆う外層として形成されていることを特徴とする請求項１の電子機器の外装ケース。
【請求項３】
前記電子機器の操作ボタンに対応する位置の硬質樹脂に開口を形成するとともに、該開口を軟質樹脂で覆い、該軟質樹脂を前記操作ボタンの一部とすることを特徴とする請求項１又は２の電子機器の外装ケース。
【発明の詳細な説明】
【０００１】
【発明の属する技術分野】
本発明は電子機器の外装ケースに係り、特にデジタルカメラ等の電子機器の外装ケースのコストダウンに寄与する電子機器の外装ケースに関する。
【０００２】
【従来の技術】
例えば、デジタルカメラの外装ケースは、機器の内容物を保護するために、金属または硬質樹脂によって形成されている。そして、このような外装ケースでは、前ケース部と後ケース部とによってケース主体を構成し、内容物を包むようにしてそれらをビス等によって締結している。また、外装ケースの把持部は、滑りを止めたり、感触を良くするため、軟質樹脂によって別個に形成し、それをケース主体に貼設している。
【０００３】
【発明が解決しようとする課題】
上記外装ケースでは、各部品をそれぞれ製作し、そして各部品を組み付けなければならず、製造コストが高くなるばかりでなく、組み付け作業も煩雑になるという問題がある。尚、本体部と蓋部とがヒンジ部を介して一体成形された、食料品等を収納するヒンジ付きプラスチック容器が提案されている（特開平７−４０９６０号公報）が、電子機器の内容物を収納する外装ケースにおいて、２分割されたケースがヒンジで一体化されたものはない。
【０００４】
本発明はこのような事情に鑑みてなされたもので、部品点数の削減、組立工数の削減によりコストダウンを図ることができる電子機器の外装ケースを提供することを目的とする。
【０００５】
【課題を解決するための手段】
前記目的を達成するために請求項１に係る発明は、硬質樹脂と軟質樹脂との２色成形によって展開形状に一体形成された電子機器の外装ケースであって、前記展開形状の外装ケースの折り曲げ部を前記軟質樹脂のみによって形成し、前記外装ケースが展開された状態で電子機器の内容物が組み込まれた後に、前記折り曲げ部にて展開形状の外装ケースを折り曲げることによりケース状に形成されることを特徴としている。
【０００６】
この発明の外装ケースは、展開形状に一体形成されるため、一部品で構成することができる。また、硬質樹脂と軟質樹脂との２色成形により、硬質樹脂によって強度を確保するとともに、折り曲げ部における柔軟性を確保できるようにしている。尚、折り曲げ部の軟質樹脂は、局部的に薄肉化し、容易に折り曲げ可能にすることが好ましい。
【０００７】
請求項２に示すように前記軟質樹脂は、前記外装ケースの滑り止め及び／又はデザインのために前記硬質樹脂の一部を覆う外層として形成されていることを特徴としている。これにより、滑り止め部品を貼着する作業が不要になったり、軟質樹脂によってデザイン的な部分を一体に形成することもできる。
【０００８】
請求項３に示すように、前記電子機器の操作ボタンに対応する位置の硬質樹脂に開口を形成するとともに、該開口を軟質樹脂で覆い、該軟質樹脂を前記操作ボタンの一部とすることを特徴としている。これにより、操作ボタンのキートップ等を別に形成することなく、また、それを組み付ける作業も不要になる。
【０００９】
尚、硬質樹脂としては、ＡＢＳ樹脂，ポリカーボネート樹脂等が挙げられ、軟質樹脂としては、エラストマー樹脂等が挙げられる。
【００１０】
【発明の実施の形態】
図１乃至図４は、本発明をデジタルカメラの外装ケースに適用した実施の形態を示しており、図１は成形された状態の外装ケースを示した斜視図、図２はその外装ケースの成形状態を示した断面図、図３は組み立てられた状態の外装ケースを示した斜視図、図４はその外装ケースの組み立て状態の断面図である。
【００１１】
この外装ケース１では、前ケース部１ａと後ケース部１ｂと底面部２とによって構成されている。
【００１２】
前ケース部１ａは、前面壁３とその前面壁を囲むように立設された側壁４とによって形成されている。この前ケース部１ａでは、前面のほぼ全体が硬質樹脂Ａによって形成されている。そして、前ケース部１ａの下半部には、硬質樹脂Ａの外面に軟質樹脂（斜線部）Ｂが２色成形により一体化され、それによって滑り止め部５が形成されている。この滑り止め部５は外装ケース１を把持する部分である。また、図２に示したように、下半部を形成する軟質樹脂Ｂの下辺には薄肉部６が形成されている。
【００１３】
また、上半部の前面壁３にはレンズを臨ませる孔７およびストロボの窓８等が形成されている。このうちの孔７の周縁には、デザイン形状の軟質樹脂Ｂが一体化されている。さらに、上半部の側壁４にはシャッターボタン用の孔９が形成されており、該孔９を軟質樹脂Ｂで覆ってシャッターボタンのキートップ１０を構成している。
【００１４】
また、後ケース部１ｂは、後面壁１１とその後面壁を囲むように立設された側壁１２とによって形成されている。この後ケース部１ｂでは、後面のほぼ全体が硬質樹脂Ａによって形成されている。そして、後ケース部１ｂの下半部には、硬質樹脂Ａの外面に軟質樹脂（斜線部）Ｂが一体化され、それによって滑り止め部１３が形成されている。この滑り止め部１３は外装ケース１を把持する部分である。そして、図２に示したように、下半部を構成する軟質樹脂Ｂの下辺には折り曲げ部としての薄肉部１４が形成されている。
【００１５】
また、上半部の後面壁１１には液晶モニタを臨ませる孔１５が形成されている。さらに、上半部の後面壁１１には、メニュー／実行ボタン用の孔１６が形成されており、該孔１６を軟質樹脂Ｂで覆ってメニュー／実行ボタンのキートップ１７を構成している。
【００１６】
また、底面部２には、底面のほぼ全体に硬質樹脂Ａが配置され、その硬質樹脂の外側に、該硬質樹脂を覆うようにして軟質樹脂Ｂが形成されている。この軟質樹脂Ｂによって形成された底面部２の周縁部にはリブ１８が形成されている。このリブ１８は、ケース１をテーブル等に載置させた際に、滑り止めや防振効果をもつ。
【００１７】
また、上記前ケース部１ａの上半部の側壁４および後ケース部１ｂの下半部の側壁１２にはそれぞれ爪１９，２０が一体形成されている。
【００１８】
この外装ケース１は、硬質樹脂Ａと軟質樹脂Ｂとの２色成形によって一体に形成され、さらに各操作ボタンのキートップ１０，１７等が軟質樹脂によってそれぞれ一体に形成される。
【００１９】
そして、薄肉部６，１４で折り曲げ、前ケース部１ａと後ケース部１ｂとの間に内容物（図示せず）を収容するようにして両ケース部１ａ，１ｂを会合させ、図４に示したように、それらの爪１９，２０を互いに係合させることによって外装ケース１が組み立てられる。
【００２０】
なお、上記実施の形態では、底面部２の内側に凹条を形成することによって薄肉部６，１４を形成しているが、凹条は外側に形成してもよい。
【００２１】
また、上記実施の形態では、本発明をデジタルカメラのケースに適用した例を示したが、本発明はデジタルカメラのケースばかりでなく、他の電子機器のケース、例えばＣＤプレーヤー，携帯電話等のケースにも適用できる。
【００２２】
【発明の効果】
以上説明したように本発明によれば、外装ケースが展開形状に一体形成されるため、一部品で構成することができ、部品点数及び組立工数の削減が可能となり、コストダウンを図ることができる。
【００２３】
また、硬質樹脂と軟質樹脂との２色成形により、硬質樹脂によって強度を確保するとともに、折り曲げ部における柔軟性を確保することができ、また、軟質樹脂を硬質樹脂の一部を覆う外層として形成することで、外装ケースの滑り止めやデザインの向上を図ることができる。更に、電子機器の操作ボタンのキートップも一体形成することができる。
【図面の簡単な説明】
【図１】本発明に係る電子機器の外装ケースを適用したデジタルカメラの外装ケースを示した展開斜視図である。
【図２】図１における外装ケースの成形状態を示した断面図である。
【図３】図１の展開した外装ケースを組み立てた状態を示した斜視図である。
【図４】図３のケースの断面図である。
【符号の説明】
１…外装ケース、１ａ…前ケース部、１ｂ…後ケース部、２…底面部、３…前面壁、４…側壁、５、１３…滑り止め部、６、１４…薄肉部、７…孔、８…窓、９…孔、１０、１７…キートップ、１１…後面壁、１２…側壁、１５，１６…孔１８…リブ、１９，２０…爪
【図１】
2004001821.tif 000003
【図２】
2004001821.tif 000004
【図３】
2004001821.tif 000005
【図４】
2004001821.tif 000006